(57)【要約】【課題】積み重ね時の安定性を良くして荷崩れを防止すると共に、積載性及び積載量の向上を図ることができる三脚脚立を提供すること。【解決手段】上端部に天板３を備え、略ハの字状に開いた前側の梯子状脚体１と、後側の一本の棒状脚体２とが開閉可能に連結された三脚脚立において、天板３の基端部を梯子状脚体１の上端部に枢着し、天板３の先端部を棒状脚体２の上端部に枢着すると共に、梯子状脚体１と棒状脚体２とを所定の開脚姿勢に開いた状態で天板３を水平姿勢にロックするロック手段を梯子状脚体１と天板３との間に介設してなる。【選択図】図１
2008267048.tif 000002
【特許請求の範囲】
【請求項１】
上端部に天板を備え、前側の略ハの字状に開いた梯子状脚体と、後側の一本の棒状脚体とが開閉可能に連結された三脚脚立において、
天板の基端部を梯子状脚体の上端部に枢着し、天板の先端部を棒状脚体の上端部に枢着すると共に、梯子状脚体と棒状脚体とを所定の開脚姿勢に開いた状態で天板を使用時の水平姿勢にロックするロック手段を梯子状脚体と天板との間に介設してなることを特徴とする三脚脚立。
【請求項２】
梯子状脚体には踏桟の後側中央部に、梯子状脚体と棒状脚体とを閉脚姿勢に閉じた時に棒状脚体が梯子状脚体内に納まるように棒状脚体が嵌合する嵌合凹部を設けてなることを特徴とする請求項１に記載の三脚脚立。
【請求項３】
梯子状脚体の下段側踏桟には、踏桟の嵌合凹部に嵌合した棒状脚体の、嵌合凹部からの抜け出しを阻止するストッパーを設け、このストッパーは、板バネで一体に形成されたもので、棒状脚体が嵌合凹部に嵌合する時に突入する突入凹部と、突入凹部の入口の両側に棒状脚体の直径より狭い間隔で対向突出する突片と、両突片の外側にあって、棒状脚体の突入時に両突片の間隔を広げるように案内するテーパガイド部とからなる請求項２に記載の三脚脚立。
【請求項４】
ロック手段は、梯子状脚体の上端部に回転不能に横架された天板枢着用の水平支軸と、天板の基端部に設けられ、前記水平支軸に回転可能に嵌合された天板枢着用の中空部材との間に介設されたもので、水平支軸の外周に軸方向に延びる係止用突起を条設し、中空部材の内周には先端部の係止爪が前記水平支軸の外周面に添接するように付勢する係止用バネ部材を設け、梯子状脚体と棒状脚体とが閉じた状態から天板を使用時の水平姿勢まで回転させて係止用バネ部材の係止爪が水平支軸の係止用突起を乗り越えると、その突起に係止爪が係止して天板を所定の水平姿勢にロックするようにしてなることを特徴とする請求項１〜３の何れかに記載の三脚脚立。
【請求項５】
前記係止用バネ部材の係止爪が水平支軸の係止用突起に係止して天板が所定の水平姿勢にロックされた状態において、係止爪を係止用突起との係止位置から起立させてロック解除させるように係止用バネ部材を操作する操作具を挿入するための操作具挿入用開口部を前記中空部材の所要個所に設けてなることを特徴とする請求項４に記載の三脚脚立。
【発明の詳細な説明】
【技術分野】
【０００１】
本発明は、上端部に天板を備え、略ハの字状に開いた前側の梯子状脚体と、後側の一本の棒状脚体とが開閉可能に連結された三脚脚立に関するものである。
【背景技術】
【０００２】
この種の三脚脚立は、通常の四脚の脚立と違って三点支持であるため、支持面が平でなくても安定して立てることができると共に、障害物が複雑に入り組んでいる場合でも後側の棒状脚体がそれらの障害物のたてることができ、従ってみかん等の果樹の収穫作業や、庭木の剪定作業等に汎用されている。
【０００３】
従来の三脚脚立として、特許公報などの具体的な公知文献を挙げることはできないが、現在使用されている三脚脚立Ｂを図７に示す。図７の(a) は閉脚姿勢に折り畳んだ三脚脚立Ｂを後側から見た正面図、(b) は同閉脚姿勢の側面図であり、(c) はこの三脚脚立Ｂを所定の開脚姿勢に開いた状態の側面図、(d) は同開脚姿勢を前側から見た正面図である。この三脚脚立Ｂは、上端部に天板３を備え、前側の略ハの字状に開いた梯子状脚体１と、この梯子状脚体１に対し開閉可能に連結された後側の一本の棒状脚体２とで構成される。梯子状脚体１は、略ハの字状に配置された左右一対の支柱４，４と、両支柱４，４間に高さ方向適当間隔おきに横架された踏桟５…とからなるもので、両支柱４，４の上端部に天板３が使用時に水平姿勢となるように両支柱４，４に対し固定的に設置され、この天板３の先端部に棒状脚体２の上端部が枢支連結され、また両支柱４，４に沿って補強枠６，６が配設されている。７は梯子状脚体１と棒状脚体２とを所定の開脚姿勢に保持する索体である。
【０００４】
この三脚脚立Ｂは、工場で製作されて、出荷される際に、両脚体１，２が図７の(b) に示すような閉脚姿勢に折り畳まれ、トラックやコンテナー等に積み込まれて所定の場所まで運搬され、使用の際に両脚体１，２が(c) に示すような所定の開脚姿勢に開いて使用されるようになっている。
【発明の開示】
【発明が解決しようとする課題】
【０００５】
ところで、従来の三脚脚立Ｂは、天板３が梯子状脚体１に対し使用時に水平姿勢となるような所定の角度に固定されていることから、図７の(b) に示すように閉脚姿勢に折り畳んだ状態において前後方向の厚みが厚くなって嵩張ると共に、天板３側端部の厚みがその反対側の端部よりも厚い傾斜状となり、従って積み重ねた時に積み荷の状態が非常に不安定で荷崩れを起こし易い上に、出荷時にコンテナー等に積み込む際に積載量が制限され、積載性が悪いという問題がある。
【０００６】
本発明は、上記のような課題に鑑みてなされたもので、積み重ね時の安定性を良くして荷崩れを防止すると共に、積載性及び積載量の向上を図ることができる三脚脚立を提供することを目的とする。
【課題を解決するための手段】
【０００７】
上記課題を解決するための手段を、後述する実施形態の参照符号を付して説明すると、請求項１に係る発明は、上端部に天板３を備え、前側の略ハの字状に開いた梯子状脚体１と、後側の一本の棒状脚体２とが開閉可能に連結された三脚脚立において、
天板３の基端部を梯子状脚体１の上端部に枢着し、天板３の先端部を棒状脚体２の上端部に枢着すると共に、梯子状脚体１と棒状脚体２とを所定の開脚姿勢に開いた状態で天板３を使用時の水平姿勢にロックするロック手段８を梯子状脚体１と天板３との間に介設してなることを特徴とする。
【０００８】
請求項２は、請求項１に記載の三脚脚立において、梯子状脚体１には踏桟５の後側中央部に、梯子状脚体１と棒状脚体２とを閉脚姿勢に閉じた時に棒状脚体２が梯子状脚体１内に納まるように棒状脚体２が嵌合する嵌合凹部９を設けてなることを特徴とする。
【０００９】
請求項３は、請求項２に記載の三脚脚立において、梯子状脚体１の下段側踏桟５には、踏桟５の嵌合凹部９に嵌合した棒状脚体２の、嵌合凹部９からの抜け出しを阻止するストッパー２１，３１を設け、このストッパー２１，３１は、板バネで一体に形成されたもので、棒状脚体２が嵌合凹部９に嵌合する時に突入する突入凹部２２と、突入凹部２２の入口の両側に棒状脚体２の直径より狭い間隔で対向突出する突片２３，２３と、両突片２３，２３の外側にあって、棒状脚体２の突入時に両突片２３，２３の間隔を広げるように案内するテーパガイド部２４，２４とからなる。
【００１０】
請求項４は、請求項１〜３の何れかに記載の三脚脚立において、ロック手段８は、梯子状脚体１の上端部に回転不能に横架された天板枢着用の水平支軸１０と、天板３の基端部に設けられ、前記水平支軸１０に回転可能に嵌合された天板枢着用の中空部材１１との間に介設されたもので、水平支軸１０の外周に軸方向に延びる係止用突起１６を条設し、中空部材１１の内周には先端部の係止爪１８ａが前記水平支軸１０の外周面に添接するように付勢する係止用バネ部材１８を設け、梯子状脚体１と棒状脚体２とが閉じた状態から天板３を使用時の水平姿勢まで回動させて係止用バネ部材１８の係止爪１８ａが水平支軸１０の係止用突起１６を乗り越えると、その突起１６に係止爪１８ａが係止して天板３を所定の水平姿勢にロックするようにしてなることを特徴とする。
【００１１】
請求項５は、請求項４に記載の三脚脚立において、前記係止用バネ部材１８の係止爪１８ａが水平支軸１０の係止用突起１６に係止して天板３が所定の水平姿勢にロックされた状態において、係止爪１８ａを係止用突起１６との係止位置から起立させてロック解除させるように係止用バネ部材１８を操作する操作具を挿入するための操作具挿入用開口部２０を前記中空部材１１の所要個所に設けてなることを特徴とする。
【発明の効果】
【００１２】
上記解決手段による発明の効果を、後述する実施形態の参照符号を付して説明すると、請求項１に係る発明の三脚脚立によれば、天板３の基端部を梯子状脚体１の上端部に枢着し、天板３の先端部を棒状脚体２の上端部に枢着すると共に、梯子状脚体１と棒状脚体２とを所定の開脚姿勢に開いた状態で天板３を水平姿勢にロックするロック手段８を梯子状脚体１と天板３との間に介設したことにより、梯子状脚体１と棒状脚体２とを閉脚状態に折り畳んだ時に、三脚脚立の前後方向厚みを極力薄くフラット化することができて、積み重ね時の安定性を良くして荷崩れを防止できると共に、積載性及び積載量の向上を図ることができる。
【００１３】
請求項２に係る発明の三脚脚立によれば、梯子状脚体１の踏桟５の後側中央部に棒状脚体２が嵌合する嵌合凹部９を設けたことによって、梯子状脚体１と棒状脚体２とを閉脚姿勢に閉じた時に棒状脚体２を梯子状脚体１内に納めることができ、それにより三脚脚立の前後方向厚みを一層薄くフラット化することができて、積載性及び積載量の一層の向上を図ることができる。
【００１４】
請求項３に係る発明の三脚脚立によれば、梯子状脚体１の下段側踏桟５に、踏桟５の嵌合凹部９に嵌合した棒状脚体２の、嵌合凹部９からの抜け出しを阻止するストッパー２１，３１を設けているから、閉脚時に棒状脚体２を梯子状脚体１の嵌合凹部９に嵌合させた状態で固定でき、三脚脚立の運搬時等にきわめて有効である。また、このストッパー２１，３１は、板バネで一体に形成されて、棒状脚体２が嵌合凹部９に嵌合する時に突入する突入凹部２２と、突入凹部２２の入口の両側に棒状脚体２の直径より狭い間隔で対向突出する突片２３，２３と、棒状脚体２の突入時に両突片２３，２３の間隔を広げるように案内するテーパガイド部２４，２４とからなるもので、構造が簡単で製作が容易であり且つ棒状脚体２の着脱が容易である。
【００１５】
請求項４に係る発明の三脚脚立によれば、天板３を一度使用時の水平姿勢まで開くと、ロック状態となって元に戻らない構成であるから、ロック手段８をコンパクトにして且つ嵩張らない構造とすることができると共に、使用時には既に水平姿勢となっているため、使い勝手が良く、作業性が良い。
【００１６】
請求項５に係る発明の三脚脚立によれば、組立時に誤ってロックさせた場合には、操作具１９を挿入して、係止爪１８ａを係止用突起１６との係止位置から中空部材１１の内周面側へ起立させてやれば、係止爪１８ａが係止用突起１６を下方向に乗り越えることができて、ロック解除することができるから、出荷の時点で天板３を折り畳み状態にすることができて、梯子状脚体１と棒状脚体２とを閉脚姿勢に折り畳むことができる。
【発明を実施するための最良の形態】
【００１７】
以下に本発明の好適な一実施形態を図面に基づいて説明すると、図１の(a) は本発明に係る三脚脚立Ａを閉脚姿勢に折り畳んだ状態を後側から見た正面図、(b) は同閉脚姿勢の側面図であり、(c) は(b) の矢印Ｘから見た天板３部分の平面図、(d) は(b) のＹ−Ｙ線拡大断面図であり、図２の(a) は天板３を梯子状脚体１に対して使用時の水平姿勢にロックした状態で棒状脚体２を梯子状脚体１に対し折り畳んだ状態の側面図、(b) は(a) に示す折り畳み状態から棒状脚体２を開脚姿勢に開いた状態の側面図、(c) は同開脚姿勢の正面図、(d) は(b) の矢印Ｚから見た天板３部分の拡大平面図である。この三脚脚立Ａは、上端部に天板３を備え、前側の略ハの字状に開いた梯子状脚体１と、この梯子状脚体１に対し開閉可能に連結された後側の一本の棒状脚体２とからなるもので、梯子状脚体１は、略ハの字状に配置された左右一対の支柱４，４と、両支柱４，４間に高さ方向適当間隔おきに横架された踏桟５…とにより形成される。
【００１８】
天板３は、基端部が梯子状脚体１の上端部に枢着されると共に、その先端部が棒状脚体２の上端部に枢着され、そして梯子状脚体１と棒状脚体２とを所定の開脚姿勢に開いた状態で天板３を使用時の水平姿勢にロックするロック手段８が、梯子状脚体１と天板３との間に介設されている。尚、棒状脚体２は伸縮調整可能となっている。
【００１９】
上記構造について更に詳しく説明すれば、梯子状脚体１の各踏桟５は、図１の(d) から分かるように、左右両支柱４，４間に横架された前側踏桟５ａと、前側踏桟５ａの両端部から梯子状脚体１の後方へ一体的に突出するように設けられた平面視弓形の後側踏桟５ｂとからなるもので、後側踏桟５ｂには、梯子状脚体１と棒状脚体２とを閉脚姿勢に閉じた時に棒状脚体２が梯子状脚体１内に納まるように後側踏桟５ｂの中央部に棒状脚体２が嵌合する嵌合凹部９が設けられている。
【００２０】
梯子状脚体１の左右両支柱４，４の夫々後側には補強枠６，６が配設され、各補強枠６は、各踏桟５の後側踏桟５ｂに固着されると共に、各補強枠６の上下端部は支柱４の上下両端部に固着されている。また、図２の(d) 及び図３の(d) 及び(e) に示されるように、梯子状脚体１の両支柱４，４の上端部間には天板枢着用の水平支軸１０が回転不能に横架されている。
【００２１】
天板３は、図２の(d) 及び図３の(d)から分かるように、当該天板３の基端側にあって梯子状脚体１上端部の天板枢着用水平支軸１０に回転可能に嵌合された天板枢着用の中空部材１１と、この中空部材１１に一体的に取り付けられて中空部材１１とともに天板周枠３ａを形成するコ字状枠体１２と、このコ字状枠体１２内に設けられた複数の中桟１３とからなるもので、梯子状脚体１の天板枢着用水平支軸１０に嵌合された基端側の中空部材１１を中心に上下方向に回動可能となっている。
【００２２】
また、図２の(d) 及び図３の(a) に示すように、天板３のコ字状枠体１２の先端側枠部１２ａには棒状脚体枢着用の円筒部材１４が回転可能に嵌装されていて、この円筒部材１４の中央部に棒状脚体２の上端部が固着され、それによって棒状脚体２は、図３の(a) に示すように天板３の先端部を中心に枢動可能となっている。棒状脚体２の上端部と円筒部材１４との間には補強部材１５が介装されている。
【００２３】
梯子状脚体１と棒状脚体２とを開脚姿勢に開いた状態で天板３を水平姿勢にロックするロック手段８は、図３の(d) 及び(e) に示すように、梯子状脚体１の上端部に回転不能に横架された天板枢着用の水平支軸１０と、天板３の基端部に設けてあって、水平支軸１０に回転可能に嵌合された天板枢着用の中空部材１１との間に介設されたもので、水平支軸１０の外周に軸方向に延びる係止用突起１６を周方向１８０°間隔で２つ条設する一方、中空部材１１の内周には、水平支軸１０の係止用突起１６に係合して中空部材１１の回転を略９０°内に制限する係止段部１７と、先端部の係止爪１８ａが水平支軸１０の外周面に添接するように付勢する係止用バネ部材１８とを設け、梯子状脚体１と棒状脚体２とが閉じた状態から天板３を使用時の水平姿勢まで回動させて、係止用バネ部材１８の係止爪１８ａが水平支軸１０の係止用突起１６を乗り越えると、その突起１６に係止爪１８ａが係止して天板３を平姿勢にロックするようにしたものである。
【００２４】
図３の(a) は天板３が使用時の水平姿勢から下向きに折り畳まれた状態にあり、この時中空部材１１側の係止段部１７が水平支軸１０側の係止用突起１６に係止しているため、これ以上は下向きには回動せず、この折り畳み姿勢から使用時の水平姿勢にいたるまでの約９０°の範囲で上下回動自在となっている（図３の(b) 参照）。しかして、この天板３を、図３の(d) の折り畳み姿勢から上向きに引き上げるように回動すると、中空部材１１側の係止用バネ部材１８の係止爪１８ａが水平支軸１０側の係止用突起１６に係止した後、係止用バネ部材１８の弾性変形により係止爪１８ａが係止用突起１６を乗り越えると、係止爪１８ａは図３の(e) に示すように逆方向へ戻らなくなってロックされ、天板３は、使用時の水平姿勢に固定される（図３の(c) 及び(e) 参照）。
【００２５】
上記のように天板３は一旦使用時の水平姿勢にロックされると、折り畳むことができないようになっている。しかしながら、組立時に誤ってロックさせた場合にロック解除できるような手段を講じている。即ち、図３の(f) に示すように、中空部材１１の所要個所に係止用バネ部材１８を操作する爪起し用操作具１９を挿入するための操作具挿入用開口部２０を設け、この開口部２０から図示のように爪起し用の操作具１９を挿入して、係止爪１８ａを係止用突起１６との係止位置から中空部材１１の内周面側へ起立させてやれば、係止爪１８ａが係止用突起１６を下方向に乗り越えることができて、ロック解除させることができる。
【００２６】
上記のような構成よりなる三脚脚立Ａの作用について、図１〜図３を適宜参照しながら以下に説明する。
【００２７】
図１は工場で製作されて何時でも出荷可能な状態にある三脚脚立Ａを示している。この時、三脚脚立Ａは、図１の(b) から分かるように、天板３が下向きに折り畳まれた状態で梯子状脚体１と棒状脚体２とが閉脚姿勢となっており、しかも棒状脚体２が各踏桟５の嵌合凹部９に嵌合して梯子状脚体１内に納まった状態となっているため、従来の三脚脚立Ｂを示す図７の(b) と比較すれば明らかなように、前後方向の厚みが可なり薄くフラットになっている。
【００２８】
このように三脚脚立Ａは、前後方向の厚みが薄く、フラットに折り畳まれているから、出荷時にコンテナー等に積み込む際に、コンテナー内で多段状に積み重ねても荷崩れを起こすことがなく、安定良く積み重ねることができる共に、折り畳み状態での厚みが薄くフラット化されるため、積載性とともに積載量の増大を図ることができる。
【００２９】
上記のように出荷時に梯子状脚体１と棒状脚体２とが閉脚姿勢に極力薄く折り畳まれた三脚脚立Ａを使用する時には、図２の(a) に示すように棒状脚体２を押し上げれば、この棒状脚体２の上端部に枢着されている天板３が上向きに回動して、ロック手段８によって使用時の水平姿勢にロックされる。即ち、天板３を、図３の(d) の折り畳み姿勢から引き上げるように回動すると、中空部材１１側の係止用バネ部材１８の係止爪１８ａが水平支軸１０側の係止用突起１６に係止した後、係止用バネ部材１８の弾性変形によって係止爪１８ａが係止用突起１６を乗り越えると、係止爪１８ａは図３の(e) に示すように逆方向へ戻らなくなり、天板３を使用時の水平姿勢にロックする。
【００３０】
こうして天板３を使用時の水平姿勢にロックした後、梯子状脚体１と棒状脚体２とを互いに開脚して、図２の(b) 及び(c) に示すような所定の開脚姿勢とすればよい。この時、両脚体１，２は索体７によって所定の開脚姿勢に保持される。
【００３１】
上述の実施形態では、ロック手段８は、梯子状脚体１の上端部に回転不能に横架された天板枢着用の水平支軸１０と、この水平支軸１０に回転可能に嵌合された天板枢着用の中空部材１１との間に介設されたもので、水平支軸１０の外周に軸方向に延びる係止用突起１６を条設し、中空部材１１の内周には先端部の係止爪１８ａが前記水平支軸１０の外周面に添接するように付勢する係止用バネ部材１８を設け、梯子状脚体１と棒状脚体２とが閉じた状態から天板３を使用時の水平姿勢まで回動させて係止用バネ部材１８の係止爪１８ａが水平支軸１０の係止用突起１６を乗り越えると、その突起１６に係止爪１８ａが係止して天板３を所定の水平姿勢にロックするようにし、天板３を一度使用時の水平姿勢まで開くと、ロック状態となって元に戻らない構成であるから、ロック手段８をコンパクトにして且つ嵩張らない構造とすることができると共に、使用時には既に水平姿勢となっているため、使い勝手が良く、作業性が良い。
【００３２】
図４は梯子状脚体１の踏桟５に棒状脚体抜け出し阻止ストッパー２１を設けた実施形態を示す。即ち、梯子状脚体１の踏桟５に棒状脚体２が嵌合する嵌合凹部９を設けて、閉脚時に棒状脚体２を梯子状脚体１内に納めるようにしているが、この場合、図１の(d) に示すように棒状脚体２を嵌合凹部９に嵌合させただけでは、三脚脚立Ａの運搬時などに棒状脚体２が嵌合凹部９から抜け出でしまい、ブラブラの状態となったり、ガタツキを生じるなどの不都合があることから、梯子状脚体１の最下段側の踏桟５に棒状脚体抜け出し阻止ストッパー２１を設けて、閉脚時に棒状脚体２を梯子状脚体１の各嵌合凹部９に嵌合した状態で固定できるようにしたものである。
【００３３】
このストッパー２１は、幅が例えば１５ｍｍ程度の板バネで一体に形成されたもので、図５から分かるように、棒状脚体２が嵌合凹部９に嵌合する時に突入する略々Ｃの字状の突入凹部２２と、この突入凹部２２の入口の両側に棒状脚体２の直径より狭い間隔で対向突出する突片２３，２３と、両突片２３，２３の外側にあって、棒状脚体２の突入時に両突片２３，２３の間隔を広げるように案内するテーパガイド部２４，２４と、両テーパガイド部２４，２４の夫々先端部に連設された取付部片２５，２５とからなり、取付けにあたっては、図示のように突入凹部２２を後側踏桟５ｂの嵌合凹部９内に嵌め込んだ状態で両取付部片２５，２５を後側踏桟５ｂの嵌合凹部９の入口部両側に、また突入凹部２２の中央部を後側踏桟５ｂの嵌合凹部９側に夫々例えばブラインドリベット２６で取り付ければよい。
【００３４】
しかして、梯子状脚体１と棒状脚体２とを閉脚する際に、棒状脚体２を各踏桟５の嵌合凹部９に嵌め込むと、棒状脚体２の下端部が、最下段踏桟５の嵌合凹部９にあるストッパー２１の突入凹部２２に突入嵌合して、棒状脚体２の各嵌合凹部９からの抜け出しが阻止される。この棒状脚体２が突入凹部２２に突入する際には、テーパガイド部２４，２４に棒状脚体２が当たると、テーパガイド部２４，２４の楔作用と板バネの弾性変形により、突入凹部２２の入口の両突片２３，２３が押し開かれて、棒状脚体２が突入凹部２２に突入し、突入後は板バネの付勢力で両突片２３，２３が元の位置に復帰して、棒状脚体２は両突片２３，２３により保持されて抜け出しを阻止される。
【００３５】
図４の実施形態では踏桟５の後側踏桟５ｂにストッパー２１を取り付けているが、図６はストッパー３１を踏桟５の前側踏桟５ａに取り付けた実施形態を示す。このストッパー３１は、ストッパー２１と同じような板バネで形成されていて、棒状脚体２が嵌合凹部９に嵌合する時に突入する略々コ字状の突入凹部２２と、この突入凹部２２の入口の両側に棒状脚体２の直径より狭い間隔で対向突出する突片２３，２３と、両突片２３，２３の外側にあって、棒状脚体２の突入時に両突片２３，２３の間隔を広げるように案内するテーパガイド部２４，２４とからなるもので、突入凹部２２の中央部を踏桟５の前側踏桟５ａに例えばブラインドリベット２６で取り付けている。このストッパー３１の作用については、ストッパー２１と同様である。尚、このストッパー３１は、図６に示すように、後側踏桟５ｂの下側で前側踏桟５ａに取り付けることによって、踏桟５の使用に支障を来すことがない。
【００３６】
上記ストッパー２１，３１は、梯子状脚体１の最下段の踏桟５に設ければよいが、最下段から２番目又は３番目の踏桟５に設けてもよく、またそのような下段側の２つ以上の踏桟５に設けてもよい。
【図面の簡単な説明】
【００３７】
【図１】(a) は本発明に係る三脚脚立を閉脚姿勢に折り畳んだ状態を後側から見た正面図、(b) は同閉脚姿勢の側面図、(c) は(b) の矢印Ｘから見た天板部分の平面図、(d) は(b) のＹ−Ｙ線拡大断面図である。
【図２】(a) は天板を梯子状脚体に対して使用時の水平姿勢にロックした状態で棒状脚体を梯子状脚体に対し折り畳んだ状態の側面図、(b) は(a) に示す状態から棒状脚体を開脚姿勢に開いた状態の側面図、(c) は同開脚姿勢の正面図、(d) は(b) の矢印Ｚから見た天板部分の平面図である。
【図３】(a) は図２の(b) の矢印Ｖで示す部分の拡大図、(b) は図２の(b) の矢印Ｗで示す部分の拡大図で、天板が回動自在の状態を示し、(c) は(b) と同様な拡大図で、天板が水平姿勢にロックされた状態を示し、(d) は(b) に示す天板が回動自在の状態における天板枢軸部の拡大断面図、(e) は天板が水平姿勢にロックされた状態における天板枢軸部の拡大断面図、(f) はロック手段をロック解除するために中空部材に操作具挿入用開口部を設けた実施形態を示す斜視図である。
【図４】棒状脚体抜け出し阻止ストッパーを備えた踏桟の平面図である。
【図５】(a) は図４のストッパーの拡大図、(b) は(a) のＱ−Ｑ線断面図である。
【図６】棒状脚体抜け出し阻止ストッパーの他の実施形態を示す図４と同様な平面図である。
【図７】(a) は閉脚姿勢に折り畳んだ従来の三脚脚立を後側から見た正面図、(b) は同閉脚姿勢の側面図であり、(c) は同三脚脚立を所定の開脚姿勢に開いた状態の側面図、(d) は同開脚姿勢を前側から見た正面図である。
【符号の説明】
【００３８】
１            梯子状脚体
２            棒状脚体
３            天板
４            支柱
５            踏桟
５ａ          前側踏桟
５ｂ          後側踏桟
８            ロック手段
９            後側踏桟に設けた嵌合凹部
１０          水平支軸
１１          中空部材
１６          係止用突起
１７          係止段部
１８          係止用バネ部材
２１          棒状脚体抜け出し阻止ストッパー
３１          棒状脚体抜け出し阻止ストッパー
【図１】
2008267048.tif 000003
【図２】
2008267048.tif 000004
【図３】
2008267048.tif 000005
【図４】
2008267048.tif 000006
【図５】
2008267048.tif 000007
【図６】
2008267048.tif 000008
【図７】
2008267048.tif 000009